【事件の表示】
　特許第２８１５１３０号「レンズアレイ及びそれを用いた密着型イメージセンサー」の請求項１乃至５に係る発明の特許に対する特許異議の申立てについて、次のとおり決定する。
【結　論】
　訂正を認める。
　特許第２８１５１３０号の請求項１乃至５に係る発明の特許を維持する。
【理　由】
１．手続の経緯
　本件特許第2,815,130号に係る主な手続の経緯は以下のとおりである。
　特許出願　　　　　　平成5年10月15日
　（優先権主張、日本、平成4年11月4日及び平成5年4月9日）
　特許権設定登録　　　平成10年8月14日
　特許公報発行　　　　平成10年10月27日
　特許異議の申立て　　平成11年4月26日
　訂正請求　　　　　　平成11年10月19日
２．訂正の適否についての判断
（１）訂正の目的の適否等について
　(1.1) 訂正事項1
　特許請求の範囲の請求項1において、「開口部外側に備えた」とあるを、「センサー側開口部外側に備え、前記重なり制限部材は前記レンズ素子の光軸方向に所定の厚みを有し、前記レンズ素子の結像半径を制御して前記重なり量を制限するように前記厚みが設定される」と訂正することは、特許請求の範囲の減縮であり、願書に添付した明細書及び図面に記載された範囲内のものであり、実質上特許請求の範囲を拡張又は変更するものではない。
  (1.2) 訂正事項2
　明細書の段落【0007】を「【課題を解決するための手段】本発明のレンズアレイは、複数のレンズ素子を隣接して配列し、前記複数のレンズ素子の合成被写界深度を向上させるように前記複数のレンズ素子により形成される像の重なり量を制限する重なり制限部材を前記レンズ素子のセンサー側開口部外側に備え、前記重なり制限部材は前記レンズ素子の光軸方向に所定の厚みを有し、前記レンズ素子の結像半径を制御して前記重なり量を制限するように前記厚みが設定されることを特徴とする。」と訂正することは、上記特許請求の範囲の訂正に伴う発明の詳細な説明の訂正であり、明瞭でない記載の釈明に該当し、願書に添付した明細書及び図面に記載された範囲内のものであり、実質上特許請求の範囲を拡張又は変更するものではない。
  (1.3) 訂正事項3
　明細書の段落【0015】を「【実施例】以下、本発明の実施例について図面を用いて詳細に説明する。
(参考例)図1は本発明の密着型イメージセンサーの参考例の断面図である。図2(a)は本発明の参考例の重なり制限部材を設けた部分の副走査断面図、図2(b)は主走査断面図である。尚、図1,図2において、図14の構成部材と同一構成部材については同一番号を付し、説明を省略する。図1及び図2に示すように、本参考例では正立等倍結像型のレンズ素子を複数配列したレンズ素子体6のセンサー側開口部に重なり制限部材10を設けて(本参考例ではレンズ素子体6と重なり制限部材10とでレンズアレイを構成する。)、各レンズ素子間の像の重なりを制限し結像径を小さくすることでレンズアレイとしての合成の開口角を小さくし、合成の被写界深度を向上させている。図3に重なり制限部材の外観を示す。この場合、重なり制限部材はフィルム状の不透明部材にレンズピッチDに等しいピッチで径のの透光窓10′ があいた形状をしており、窓径のの大きさによって像径×を制御する。」と訂正することは、上記特許請求の範囲の訂正に伴う発明の詳細な説明の訂正であり、明瞭でない記載の釈明に該当し、願書に添付した明細書及び図面に記載された範囲内のものであり、実質上特許請求の範囲を拡張又は変更するものではない。
  (1.4) 訂正事項4
　明細書の段落【0017】における「（実施例２）」を「（実施例１）」と訂正するとともに、「（実施例１）」を「（参考例）」と訂正することは、上記特許請求の範囲の訂正に伴う発明の詳細な説明の訂正であり、明瞭でない記載の釈明に該当し、願書に添付した明細書及び図面に記載された範囲内のものであり、実質上特許請求の範囲を拡張又は変更するものではない。
  (1.5) 訂正事項5
　明細書の段落【0018】における「（実施例１）」を「（参考例）」と訂正するとともに、「（実施例３）」を「（実施例２）」と訂正することは、上記特許請求の範囲の訂正に伴う発明の詳細な説明の訂正であり、明瞭でない記載の釈明に該当し、願書に添付した明細書及び図面に記載された範囲内のものであり、実質上特許請求の範囲を拡張又は変更するものではない。
  (1.6) 訂正事項6
　明細書の【図面の簡単な説明】の【図１】における「第１の実施例」を「参考例」と訂正することは、上記特許請求の範囲の訂正に伴う図面の簡単な説明の訂正であり、明瞭でない記載の釈明に該当し、願書に添付した明細書及び図面に記載された範囲内のものであり、実質上特許請求の範囲を拡張又は変更するものではない。
  (1.7) 訂正事項7
　明細書の【図面の簡単な説明】の【図５】における「第２の実施例」を「第１の実施例」と訂正することは、上記特許請求の範囲の訂正に伴う図面の簡単な説明の訂正であり、明瞭でない記載の釈明に該当し、願書に添付した明細書及び図面に記載された範囲内のものであり、実質上特許請求の範囲を拡張又は変更するものではない。
  (1.8) 訂正事項8
　明細書の【図面の簡単な説明】の【図１０】における「第３の実施例」を「第２の実施例」と訂正することは、上記特許請求の範囲の訂正に伴う図面の簡単な説明の訂正であり、明瞭でない記載の釈明に該当し、願書に添付した明細書及び図面に記載された範囲内のものであり、実質上特許請求の範囲を拡張又は変更するものではない。
（２）独立特許要件について
　(2.1）本件発明
　訂正後における特許請求の範囲の請求項１乃至５に記載されている事項により特定される発明（以下「本件第１発明」乃至「本件第５発明」という。）は、以下のとおりのものである。
　「【請求項1】複数のレンズ素子を隣接して配列し、前記複数のレンズ素子の合成被写界深度を向上させるように前記複数のレンズ素子により形成される像の重なり量を制限する重なり制限部材を前記レンズ素子のセンサー側開口部外側に備え、前記重なり制限部材は前記レンズ素子の光軸方向に所定の厚みを有し、前記レンズ素子の結像半径を制御して前記重なり量を制限するように前記厚みが設定されることを特徴とするレンズアレイ。
　【請求項2】原稿を支持する透明部材と、該原稿からの反射光を導く光学素子アレイと、導かれた原稿像を光電変換するセンサーアレイと、を備えた密着型イメージセンサーにおいて、前記光学素子アレイとして請求項1記載のレンズアレイを用いたことを特徴とする密着型イメージセンサー。
　【請求項3】請求項2記載の密着型イメージセンサーにおいて、前記レンズ素子と前記センサーアレイとの間に、各レンズ素子に対応した複数の開口部を有する重なり制限部材を、各レンズ素子の光軸と該開口部の中心とが一致するように設置したことを特徴とする密着型イメージセンサー。
　【請求項4】請求項2記載の密着型イメージセンサーにおいて、前記重なり制限部材は各レンズ素子に対応した複数の透光部材を有し、隣接する該透光部材間が遮光されていることを特徴とする密着型イメージセンサー。
　【請求項5】請求項4記載の密着型イメージセンサーにおいて、各レンズ素子は光軸に直交する方向に屈折率分布を持った光ファイバーからなり、各透光部材は光軸に直交する方向に屈折率分布を持たない光ファイバーからなる密着型イメージセンサー。」
  (2.2)引用刊行物に記載された発明
　異議申立人の提示する甲第1号証（特開昭６１−６３８２０号公報）には、
「第６図（ａ）は本発明の第３実施例を示している。この例では、４枚の円柱面集合レンズ板8,88,9,99でＸ方向結像レンズ系が構成され、レンズ板8と9の間に配置された１つの円柱面レンズ1000（両面が円柱面になっている。つまり第３図における円柱面レンズ500と600が一体化されたものに相当する）でY方向結像レンズ系が構成されている。・・・・・
　隣接レンズ系との遮光性能を持たせるため、レンズ板99の上方にマスク板7を設けている。マスク板7には、上記集合レンズ板における円筒面レンズの配列ピッチと同じピッチで、多数の長方形の開口70が整然と配列形成されている。
　第７図は本発明の第４実施例を示している。この例では、・・・・・
　また、複合レンズ56の両面に符号520,521,530,531で例示する遮光部が各円柱レンズと等ピッチで形成されている。この遮光部520,521,530,531は、各レンズの開口数を制限するとともに、読取点の違いによる像の光量揺ぎを均一化するための設計パラメータとして用いている。例えば、第７図において、レンズ光軸上の物点10からの光束はレンズ開口510,501のみを通して結像され、光軸間の中央に位置する物点11からの光束は、両レンズ開口510,511をほぼ１／２づつ通過して、像点411を形成するように設計可能である。」（第3頁左下欄第5行~第4 頁左上欄第2行）と記載されている。
　同じく、甲第２号証（特開昭５７−６３５０６号公報）には、
　「第５図において、この発明における遮光部材10は、第1レンズアレイ11、第2レンズアレイ12、第3レンズアレイ13を各レンズの光軸を一致させて重ねた結像装置において、第２レンズアレイ12の第１レンズアレイ側開口面に配置される。」（第2頁左下欄第7〜第11行）及び
　「この発明における遮光部材は、第11図および第12図に示すように、隣接するレンズ間を遮光するための遮光板を兼ねた遮光筒10”とすることもできる。第13図は、このような遮光筒10”の一例を示している。」（第3頁左上欄第7〜第11行）と記載されている。
　同じく甲第３号証（特開平３−２５８０７４号公報）には、
　「第4図おいて、11は集束性ファイバーレンズアレー、12はイメージセンサーフレーム、13は集束性ファイバーレンズアレー11を固定するネジであり、14は光源であるＬＥＤアレーであり、14の光源からの光は、ｂ点で原稿に入射し、その反射光は11の集束性ファイバーレンズアレーで１対１の正立像として15の受光センサーに焦点を結んで受光される構造になっている。」（第2頁左上欄第10〜17行）と記載されている。
　同じく甲第4号証(特開平３−１６５６５９号)には、第3頁右上欄第7〜19行及び第1〜第6図において、原稿を支持するカバーガラス6と、原稿からの反射光を導く口ッドレンズアレイ1と、導かれた原稿像を光電変換するイメージセンサ素子8とを有する密着型イメージセンサーが記載されている。
　(2.3) 比較及び検討
　（2.3-1）本件第１発明について
　本件第１発明は、「重なり制限部材を前記レンズ素子のセンサー側開口部外側に備え、前記重なり制限部材は前記レンズ素子の光軸方向に所定の厚みを有し、前記レンズ素子の結像半径を制御して前記重なり量を制限するように前記厚みが設定されることを特徴とするレンズアレイ」であるが、上記甲第１号証乃至甲第２号証刊行物には、上記本件発明の特徴点を示す記載がなく示唆もない。
　そして、本件発明は、上記特徴的構成を有することにより、合成被写界深度を向上させるという格別の効果を奏するものであるので、上記刊行物１及び２に記載された発明に基づいて当業者が容易になし得たこととすることはできない。
　（2.3-2）本件第２発明乃至第５発明について
　本件第２発明乃至第５発明は、第１発明をさらに限定するものであるので、上記甲第１号証乃至甲第４号証刊行物記載の発明に基づいて当業者が容易になし得たこととは認められない。
　
　（2.4）この項のむすび
　したがって、本件第１発明乃至本件第５発明は、上記甲第１号証乃至甲第４号証刊行物記載の発明に基づいて当業者が容易になし得たこととは認められないので、特許法第２９条第２項の規定により、出願の際独立して特許を受けることができない発明であるとすることはできない。
　（３）訂正の適否のむすび
　以上のとおりであるので、上記訂正請求は、平成６年法律第１１６号附則第６条第１項において、なお従前の例によるとされる改正前の特許法第１２６条第１項乃至３項の規定に適合するので、これを認める。
３．特許異議の申立てについての判断
　特許異議申立人山下十四治は、上記甲第１号証乃至甲第４号証刊行物を提示し、本件第１発明乃至本件第５発明は、上記甲第１号証乃至甲第４号証刊行物に記載された発明に基づいて当業者が容易になし得たものであるので、特許法第２９条第２項の規定により特許を受けることができないものであるから、特許を取り消すべきであると主張する。
　しかしながら、上記(2.3-1)及び（2.3-2）において述べた理由により、本件第１発明乃至本件第５発明は、上記刊行物１乃至刊行物４に記載された発明に基づいて当業者が容易になし得たこととすることはできない。
　　
４．むすび
　以上のとおりであるので、本件第１発明乃至本件第５発明に係る特許は、特許異議申立人の提示した証拠及び理由によっては取り消すことができない。
　よって、結論のとおり決定する。
【異議決定日】
平成１２年３月１４日（２０００．３．１４）
【訂正の要旨】
　訂正の要旨
（１）訂正事項１
　特許第２，８１５，１３０号の明細書における特許請求の範囲請求項１において、「開口部外側に備えた」を、特許請求の範囲の減縮を目的にして、「センサー側開口部外側に備え、前記重なり制限部材は前記レンズ素子の光軸方向に所定の厚みを有し、前記レンズ素子の結像半径を制御して前記重なり量を制限するように前記厚みが設定される」と訂正する。
（２）訂正事項２
　同明細書第［０００７］段落を、明瞭でない記載の釈明を目的として、「【課題を解決するための手段】本発明のレンズアレイは、複数のレンズ素子を隣接して配列し、前記複数のレンズ素子の合成被写界深度を向上させるように前記複数のレンズ素子により形成される像の重なり量を制限する重なり制限部材を前記レンズ素子のセンサー側開口部外側に備え、前記重なり制限部材は前記レンズ素子の光軸方向に所定の厚みを有し、前記レンズ素子の結像半径を制御して前記重なり量を制限するように前記厚みが設定されることを特徴とする。」と訂正する。
（３）訂正事項３
　同明細書第［００１５］段落を、明瞭でない記載の釈明を目的として、「【実施例】以下、本発明の実施例について図面を用いて詳細に説明する。
（参考例）図１は本発明の密着型イメージセンサーの参考例の断面図である。図２（ａ）は本発明の参考例の重なり制限部材を設けた部分の副走査断面図、図２（ｂ）は主走査断面図である。尚、図１，図２において、図１４の構成部材と同一構成部材については同一番号を付し、説明を省略する。図１及び図２に示すように、本参考例では正立等倍結像型のレンズ素子を複数配列したレンズ素子体６のセンサー側開口部に重なり制限部材１０を設けて（本参考例ではレンズ素子体６と重なり制限部材１０とでレンズアレイを構成する。）、各レンズ素子間の像の重なりを制限し結像径を小さくすることでレンズアレイとしての合成の開口角を小さくし、合成の被写界深度を向上させている。図３に重なり制限部材の外観を示す。この場合、重なり制限部材はフィルム状の不透明部材にレンズピッチＤに等しいピッチで径のの透光窓１０′があいた形状をしており、窓径のの大きさによって像径×を制御する」と訂正する。
（４）訂正事項４
　同明細書第［００１７］段落における「（実施例２）」及び「（実施例１）」を、明瞭でない記載の釈明を目的として、それぞれ「（実施例１）」及び「（参考例）」と訂正する。
（５）訂正事項５
　同明細書第［００１８］段落における「（実施例１）」及び「（実施例３）」を、明瞭でない記載の釈明を目的として、それぞれ「（参考例）」及び「（実施例２）」と訂正する。
（６）訂正事項６
　同明細書の「図面の簡単な説明」の「図１」における「第１の実施例」を、明瞭でない記載の釈明を目的として、「参考例」と訂正する。
（７）訂正事項７
　同明細書の「図面の簡単な説明」の「図５」における「第２の実施例」を、明瞭でない記載の釈明を目的として、「第１の実施例」と訂正する。
（８）訂正事項８
　同明細書の「図面の簡単な説明」の「図１０」における「第３の実施例」を、明瞭でない記載の釈明を目的として、「第２の実施例」と訂正する。
（５４）【発明の名称】
レンズアレイ及びそれを用いた密着型イメージセンサー
（５７）【特許請求の範囲】
　　　　【請求項１】　複数のレンズ素子を隣接して配列し、前記複数のレンズ素子の合成被写界深度を向上させるように前記複数のレンズ素子により形成される像の重なり量を制限する重なり制限部材を前記レンズ素子のセンサー側開口部外側に備え、前記重なり制限部材は前記レンズ素子の光軸方向に所定の厚みを有し、前記レンズ素子の結像半径を制御して前記重なり量を制限するように前記厚みが設定されることを特徴とするレンズアレイ。
　　　　【請求項２】　原稿を支持する透明部材と、該原稿からの反射光を導く光学素子アレイと、導かれた原稿像を光電変換するセンサーアレイと、を備えた密着型イメージセンサーにおいて、
　前記光学素子アレイとして請求項１記載のレンズアレイを用いたことを特徴とする密着型イメージセンサー。
　　　　【請求項３】　請求項２記載の密着型イメージセンサーにおいて、前記レンズ素子と前記センサーアレイとの間に、各レンズ素子に対応した複数の開口部を有する重なり制限部材を、各レンズ素子の光軸と該開口部の中心とが一致するように設置したことを特徴とする密着型イメージセンサー。
　　　　【請求項４】　請求項２記載の密着型イメージセンサーにおいて、前記重なり制限部材は各レンズ素子に対応した複数の透光部材を有し、隣接する該透光部材間が遮光されていることを特徴とする密着型イメージセンサー。
　　　　【請求項５】　請求項４記載の密着型イメージセンサーにおいて、各レンズ素子は光軸に直交する方向に屈折率分布を持った光ファイバーからなり、各透光部材は光軸に直交する方向に屈折率分布を持たない光ファイバーからなる密着型イメージセンサー。
【発明の詳細な説明】
　　　【０００１】
　　【産業上の利用分野】
　本発明はレンズアレイ及びそれを用いた密着型イメージセンサーに係るものである。本発明のレンズアレイは、特に原稿に密着し読取を行う密着型イメージセンサーに好適に使用されるものである。
　　　【０００２】
　　【従来の技術】
　図１４は従来の密着型イメージセンサーの構造を示す断面図である。同図に示すように、センサーユニットは、光電変換を行う画素が複数配列されたセンサーＩＣ１と、保護膜２と、これらが実装された基板３とから成るセンサーモジュール（センサーアレイを構成する）４、原稿を照明する光源であるＬＥＤアレイ５、原稿の像をセンサー受光部に結像するレンズ素子体（レンズアレイを構成する）６、原稿９に密着しこれを支持する透明部材７、そしてこれらの部材を支持するフレーム８より構成されている。
　　　【０００３】
　上記密着型イメージセンサーにおける動作は、光源（ＬＥＤアレイ５）により原稿を照明し、原稿の読取ライン上の拡散反射光をレンズ素子体６によりセンサー画素列上に結像し、前記反射光のもつ原稿の濃度情報、即ち光の強弱を個々のセンサー画素が電気信号に変換し、主走査方向に順次送り出す。そして原稿とセンサー画素列との相対位置を副走査方向に移動させて前記の主走査方向のデータ送出を繰り返すことにより２次元画像情報を時系列電気信号に変換する。
　　　【０００４】
　上記レンズ素子体としては、例えば、光軸に直交する方向に屈折率分布をもったレンズ素子を複数配列したものを用いることができる。より具体的には光軸に直交する方向に屈折率分布を持った光ファイバーを多数直線状に配列したものを用いることができ、個々の光ファイバーはレンズ作用を示すため、全体として小型で長尺な結像レンズとして働く。図１５はレンズ素子体の開口部を示しており、レンズ素子体６をセンサーモジュール４側から見た図である。図１５において、６ａはレンズ素子体の開口部、６ｂ，６ｃは支持板、６ｄは樹脂等のレンズ素子を保持する部材である。
　　　【０００５】
　　【発明が解決しようとする課題】
　しかしながら、上記従来例では結像レンズとしてレンズ素子体、即ち複眼レンズを使用しているため像の重なりが発生し、合成開口角が大きくなるので被写界深度が浅く、原稿が折れていたり、切り貼りなど原稿に凹凸がある場合に画質が劣化するという問題があった。また、図１９に示すようなフラットベッドスキャナ等では本の見開き部分等の読み取りをすることができず、センサーの用途が限定されていた。
　　　【０００６】
　図１６（ａ），（ｂ）に前記レンズ素子体としてグレーテッドインデックス型光ファイバーレンズアレイを例にとり、結像の様子を説明する。個々のレンズ素子は、図１６（ａ）に示すように原稿面上の直径Ｘ０のエリアをセンサー面上に正立等倍結像する。このようなレンズ素子を図１６（ｂ）に示すように多数直線状に配列することにより、個々のレンズ素子の像を重ね合わせ、長尺な像面を形成する。複数のレンズ素子の像の合成によりひとつの像を形成する場合の被写界深度は、以下の様に考えられる。図１７（ａ），（ｂ）に示すように、ある１点（物体点Ｐ）とその像ｑを考えた場合、結像に関与するレンズ素子数が多くなるほど合成の開口角θ′（図１７（ｂ）に図示）は個々のレンズ素子の開口角θ（図１７（ａ）に図示）より大きくなり、物体点Ｐ′への移動δＬに対して像ｑのボケＢが大きくなる。即ち、個々のレンズ素子の被写界深度に比べてレンズ素子体としての被写界深度は浅くなってしまう。図１８に、結像に関与するレンズ素子数と被写界深度との関係を示す。ここで、像径Ｘとレンズ素子径Ｄにより像の重なり度ｍ＝Ｘ／Ｄなるパラメータを導入し結像に関与するレンズ素子数を表わす。個々のレンズ素子の開口角θを小さくすることで被写界深度を改善できるが、この場合、光路長ＴＣ（Ｐ−ｑ）が長くなり、従来例のように密着型イメージセンサーに使用する場合、本体が大型化してしまう。また、像面に到達する光量が著しく減少し、光源にかかる負担が大きくなる。さらには、このような被写界深度の深いレンズ素子体は高価である。
　　　【０００７】
　　【課題を解決するための手段】
　本発明のレンズアレイは、複数のレンズ素子を隣接して配列し、前記複数のレンズ素子の合成被写界深度を向上させるように前記複数のレンズ素子により形成される像の重なり量を制限する重なり制限部材を前記レンズ素子のセンサー側開口部外側に備え、前記重なり制限部材は前記レンズ素子の光軸方向に所定の厚みを有し、前記レンズ素子の結像半径を制御して前記重なり量を制限するように前記厚みが設定されることを特徴とする。
　　　【０００８】
　本発明の第１の密着型イメージセンサーは、原稿を支持する透明部材と、該原稿からの反射光を導く光学素子アレイと、導かれた原稿像を光電変換するセンサーアレイと、を備えた密着型イメージセンサーにおいて、前記光学素子アレイとして上記本発明のレンズアレイを用いたことを特徴とする。
　　　【０００９】
　また本発明の第２の密着型イメージセンサーは、上記本発明の第１の密着型イメージセンサーにおいて、前記レンズ素子と前記センサーアレイとの間に、各レンズ素子に対応した複数の開口部を有する重なり制限部材を、各レンズ素子の光軸と該開口部の中心とが一致するように設置したことを特徴とする。
　　　【００１０】
　また本発明の第３の密着型イメージセンサーは、上記本発明の第１の密着型イメージセンサーにおいて、前記重なり制限部材は各レンズ素子に対応した複数の透光部材を有し、隣接する該透光部材間が遮光されていることを特徴とする。
　　　【００１１】
　　【作用】
　本発明のレンズアレイは、複数のレンズ素子を隣接して配列し、複数のレンズ素子の合成被写界深度を向上させるように複数のレンズ素子により形成される像の重なり量を制限する重なり制限部材を設けることにより、光路長を長くすることなく結像に関与するレンズ素子数を減少させ、すなわち、図１８における像径Ｘを制限することで重なり度ｍを小さくし、複数のレンズ素子の合成被写界深度を改善したものである。伝達光量は結像に関与するレンズ素子数の減少に従い減少するが、個々のレンズ素子の開口角を小さくする場合に比べて減少の割合は小さい。
　　　【００１２】
　本発明の第１の密着型イメージセンサーは、結像光学系として上記本発明のレンズアレイを用いることで、小型、低コストで、被写界深度が深いセンサーを構成したものである。
　　　【００１３】
　本発明の第２の密着型イメージセンサーは、上記本発明の第１の密着型イメージセンサーにおいて、さらに、レンズ素子体とセンサーアレイとの間に、各レンズ素子に対応した複数の開口部を有する重なり制限部材を、各レンズ素子の光軸と該開口部の中心とが一致するように設置することで、重なり制限部材の開口部の位置（レンズ素子体とセンサーアレイとの間の位置）と開口部の径とを適宜設定することによって像径を小さく制御し、被写界深度の向上を図るものである。
　　　【００１４】
　本発明の第３の密着型イメージセンサーは、上記本発明の第１の密着型イメージセンサーにおいて、前記重なり制限部材は各レンズ素子に対応した複数の透光部材を有し、隣接する該透光部材間が遮光されているようにすることで、上記本発明の第２の密着型イメージセンサーと同様に、各レンズ素子の像径を小さく制御し、被写界深度の向上を図るものである。
　　　【００１５】
　　【実施例】
　以下、本発明の実施例について図面を用いて詳細に説明する。
（参考例）
　図１は本発明の密着型イメージセンサーの参考例の断面図である。図２（ａ）は本発明の参考例の重なり制限部材を設けた部分の副走査断面図、図２（ｂ）は主走査断面図である。尚、図１，図２において、図１４の構成部材と同一構成部材については同一番号を付し、説明を省略する。図１及び図２に示すように、本参考例では正立等倍結像型のレンズ素子を複数配列したレンズ素子体６のセンサー側開口部に重なり制限部材１０を設けて（本参考例ではレンズ素子体６と重なり制限部材１０とでレンズアレイを構成する。）、各レンズ素子間の像の重なりを制限し結像径を小さくすることでレンズアレイとしての合成の開口角を小さくし、合成の被写界深度を向上させている。図３に重なり制限部材の外観を示す。この場合、重なり制限部材はフィルム状の不透明部材にレンズピッチＤに等しいピッチで径φの透光窓１０′があいた形状をしており、窓径φの大きさによって像径Ｘを制御する。
　　　【００１６】
　重なり制限部材１０は、部材の貼り付けの他、レンズに直接印刷してもよく、またフレーム８側に設けてもよい。ただし、フレーム８の熱膨張係数をレンズ素子体６のそれにあわせ、レンズ素子体６とフレーム８との相対位置が温度により変化しないようにする。また、その形状はレンズ素子間の像の重なりを制限する形状であれば任意である。
　　　【００１７】
　また、重なり制限部材の形状はレンズ素子間の像重なりを制限する形状であれば任意である。図４に重なり制限部材の他の形状を示す。この場合、主走査方向のみに被写界深度向上の効果がみられる。
（実施例１）
　図５は本発明の密着型イメージセンサーの第１の実施例の断面図である。同図において、１２ａが重なり制限部材、１２ｂがその位置を規定するスペーサーである（本実施例ではレンズ素子体６、重なり制限部材１２ａ、スペーサー１２ｂでレンズアレイを構成する。）。本実施例では、参考例の構成に対し、重なり制限部材はスペーサーを介してレンズ素子体と一定距離ｔをおいて設けられる。その他の部材については図１の構成部材と同じなので同一符号を付して説明を省略する。
　　　【００１８】
　図７に重なり制限部材の外形斜視図を示す。像の重なりの制限は図６（ａ），（ｂ）に示すように、窓１２′の径φとスペーサー厚ｔとにより行う。窓径φで像の重なりを制限するとレンズ素子体の合成開口角が小さくなり像面伝達光量が減少するため、スペーサー厚ｔによる制御が有力であるが、この場合、スペーサー厚ｔを大きくしすぎると隣接レンズ素子の像が漏れ込んできて深度向上の効果が失われる。そこで、図８にように、スペーサー１３ｂを格子状にすると、漏れ光を遮光することにより深度向上の効果が大きい。さらには、スペーサーと重なり制限部材を一体化した図９に構成が可能である。さらには、センサーフレームに直接作り込んでも良い。尚、参考例と同様に部材の熱膨張係数をレンズ素子体のそれにあわせ、レンズ素子体との相対位置が温度により変化しないようにする。また、重なり制限部材の窓の形状は像の重なりを制限する形状であれば任意である。
（実施例２）
　図１０は本発明の密着型イメージセンサーの第２の実施例の断面図である。図１２はレンズアレイの構成を示す斜視図である。両図において、１５は重なり制限部材である。尚、図１の構成部材と同一構成部材については、同一符号を付し、説明を省略する。
　　　【００１９】
　ここで、重なり制限部材１５はレンズ素子体６（グレーテッドインデックス型光ファイバーアレイ；光軸に直交する方向に屈折率分布を持った光ファイバーを多数直線状に配列したもの）と同径で、外枠１５ｂ，１５ｃと外周部を遮光した透光部材１５ａとからできており、透光部材は光ファイバーレンズアレイの製造工程において、屈折率分布を持たせる工程を省いて製造される。尚、図中、６ａはレンズ素子、６ｂ，６ｃは外枠である。
　　　【００２０】
　このような重なり制限部材１５はレンズ素子体と透光部材を含めた外形寸法が等しく、レンズ素子毎に１対１にピッチずれなく取り付けることができる。また、部材の材質が等しいため、温度変化に対してもピッチずれを起こさない。また透光部材１５ａとレンズ素子体の外枠６ｂ，６ｃとを一致させて製造してもよい。
　　　【００２１】
　レンズ素子を透過した光のうち、外に広がる部分は重なり制限部材１５の内壁に吸収され、結像径を制限する。ここで、重なり制限部材１５は、図１１（ａ），（ｂ）に示すように厚さｔを変化させることにより結像半径Ｘを制御すると共に像の重なりを制限する。また、重なり制限部材の透光窓径がレンズ素子径に等しいため、像面伝達光量の減少は少ない。
　　　【００２２】
　図１３は重なり制限部材の他の構成を示す斜視図である。この重なり制限部材は図１０と同様の目的を達成するために、短辺ａがレンズ素子径Ｄに等しい透光部材のブロック１６ａを多数直線状に遮光性の接着剤１６ｂでつないだもので、短辺ａをレンズ素子径Ｄに一致させレンズ素子体の開口部に設置することによりレンズ素子間の像の重なりを制御する。
　　　【００２３】
　　【発明の効果】
　以上説明したように、本発明のレンズアレイ及び密着型イメージセンサーによれば、複数のレンズ素子の合成被写界深度を向上させるように複数のレンズ素子により形成される像の重なり量を制限する重なり制限部材を設けることによってレンズアレイとしての合成の開口角を小さくでき、合成被写界深度を向上させることができる。従って原稿の凹凸や浮きの影響を受けにくくなり、フラットベッドスキャナ等への適用が可能となり、センサーの使用範囲を拡大することができる。
　　　【００２４】
　また、高価な光路長の大きいレンズアレイを使用するよりも、低コストで、小型化ができ、また、従来の部品を使用できるため、部品の標準化につながり、製造コストを低減できる。
　　　【００２５】
　また本発明の密着型イメージセンサーによれば、レンズ素子体とセンサーアレイとの間に、各レンズ素子に対応した複数の開口部を有する重なり制限部材を、レンズ素子の光軸と該開口部の中心とが一致するように設置することにより、各レンズ素子の結像径を制御することができ、従来の長焦点タイプのレンズアレイを使用した場合に比べて、小型で低コストな被写界深度の深い密着型イメージセンサーを実現することができる。
　　　【００２６】
　また本発明の密着型イメージセンサーによれば、重なり制限部材は各レンズ素子に対応した複数の透光部材を有し、隣接する該透光部材間が遮光されているようにすることで、各レンズ素子の結像径を制御することができ、従来の長焦点タイプのレンズアレイを使用した場合に比べて、小型で低コストな被写界深度の深い密着型イメージセンサーを実現することができる。
【図面の簡単な説明】
　　【図１】
　本発明の密着型イメージセンサーの参考例の断面図である。
　　【図２】
　図１の重なり制限部材の拡大図及び機能説明図である。
　　【図３】
　重なり制限部材の外観図である。
　　【図４】
　他の構成の重なり制限部材の外観図である。
　　【図５】
　本発明の密着型イメージセンサーの第１の実施例の断面図である。
　　【図６】
　図５の重なり制限部材の拡大図及び機能説明図である。
　　【図７】
　重なり制限部材の外形斜視図である。
　　【図８】
　他の構成の重なり制限部材の外形斜視図である。
　　【図９】
　他の構成の重なり制限部材の外形斜視図である。
　　【図１０】
　本発明の密着型イメージセンサーの第２の実施例の断面図である。
　　【図１１】
　図１０の重なり制限部材の拡大図及び機能説明図である。
　　【図１２】
　重なり制限部材の外形斜視図である。
　　【図１３】
　他の構成の重なり制限部材の外形斜視図である。
　　【図１４】
　本発明の密着型イメージセンサーの構造を示す断面図である。
　　【図１５】
　レンズ素子体（グレーテッドインデックス型光ファイバーレンズアレイ）の外観図である。
　　【図１６】
　レンズ素子体（グレーテッドインデックス型光ファイバーレンズアレイ）の機能説明図である。
　　【図１７】
　レンズ素子単体及びレンズ素子体の被写界深度の説明図である。
　　【図１８】
　レンズ素子体の重なり度ｍと被写界深度の関係を表わす図である。
　　【図１９】
　被写界深度が深い場合のセンサーの使用例を示す図である。
　　【符号の説明】
　１　センサーＩＣ
　２　保護膜
　３　基板
　４　センサーモジュール（センサーアレイ）
　５　ＬＥＤアレイ
　６　レンズ素子体（レンズアレイ）
　６ａ　レンズ素子（グレーテッドインデックス型光ファイバーレンズ）
　６ｂ　支持体（外枠）
　６ｃ　支持体（外枠）
　６ｄ　充填剤
　７　透明部材
　８　フレーム
　９　原稿
　１０　重なり制限部材
　１１　重なり制限部材
　１２　重なり制限部材
　１２ａ　重なり制限部材
　１２ｂ　スペーサー
　１３ａ　重なり制限部材
　１３ｂ　スペーサー
　１４　重なり制限部材
　１５　重なり制限部材
　１５ａ　重なり制限部材
　１５ｂ　支持体（外枠）
　１５ｃ　支持体（外枠）
　１５ｄ　充填剤
　１６ａ　透光部材
　１６ｂ　遮光性接着剤